(57)【要約】【課題】優れた機械的強度を有し、且、施工効率を向上しうる構造部材、構造体、及び、これらを用いた雨水等貯留浸透施設を提供する。【解決手段】本発明に係る雨水等貯留浸透用構造部材１０は、雌型嵌合部１４が幅方向の中央部において高さ方向Ｔに伸び、雄型嵌合部１５が幅方向Ｗの二辺において高さ方向Ｔに伸びている。  本発明に係る構造体１は、上述した構造部材１０を複数用いて構成されている。複数の構造部材１０は、直角に交わる関係で隣接して配置され、一方の雄型嵌合部１５が、他方の雌型嵌合部１４に結合されており、さらに隣接する４つの構造部材１０の結合によって、構造部材１０の幅寸法Ｗ１の半分を各辺とするマス目ｃが形成されている。  本発明に係る雨水等貯留浸透施設は、上述した構造体１が、地下貯留空間に埋設されている。【選択図】図１４
2008057282.tif 000002
【特許請求の範囲】
【請求項１】
雌型嵌合部と、雄型嵌合部と、幅方向に相対向する二辺と、高さ方向に相対向する二辺とを有する平板状の雨水等貯留浸透施設用構造部材であって、
前記雌型嵌合部は、幅方向の中央部において、高さ方向に沿って伸びており、
前記雄型嵌合部は、幅方向に相対向する二辺において、高さ方向に沿って伸びている、
雨水等貯留浸透施設用構造部材。
【請求項２】
雌型嵌合部と、雄型嵌合部と、幅方向に相対向する二辺と、高さ方向に相対向する二辺とを有する平板状の雨水等貯留浸透施設用構造部材であって、
前記雌型嵌合部は、幅方向に相対向する二辺のうちの一辺において、高さ方向に沿って伸びており、
前記雄型嵌合部は、幅方向に相対向する二辺のうちの他辺において、高さ方向に沿って伸びている、
雨水等貯留浸透施設用構造部材。
【請求項３】
複数の雨水等貯留浸透施設用構造部材を含む雨水等貯留浸透施設用構造体であって、
前記構造部材のそれぞれは、請求項１に記載されたものでなり、
前記複数の前記構造部材は、直角に交わる関係で隣接して配置され、一方の前記雄型嵌合部が、他方の前記雌型嵌合部に結合されており、
さらに隣接する４つの前記構造部材の結合によって、前記構造部材の幅寸法の半分を各辺とするマス目が形成されている、
雨水等貯留浸透施設用構造体。
【請求項４】
請求項３又は４に記載された構造体であって、さらに止め具を含み
前記止め具は、前記雄型嵌合部と前記雌型嵌合部との結合箇所において、前記直角に交わる関係で隣接する前記構造部材が、高さ方向（上下方向）へ揺動することを規制している、
雨水等貯留浸透施設用構造体。
【請求項５】
請求項３又は４に記載された構造体であって、さらに面板部材を含み、
前記面板部材は、少なくとも二組の対向辺組を有し、前記対向辺組において相対向する二辺は、互いに対応する凹部及び凸部を有しており、
前記凸部のそれぞれは、少なくも一面に突起部分を有しており、
前記雨水等貯留浸透施設用構造部材は、前記高さ方向に相対向する二辺のうちの少なくとも一辺が、前記突起部分により結合されている。
雨水等貯留浸透施設用構造体。
【請求項６】
雨水等貯留浸透施設用構造体と、地下貯留空間とを含む雨水等貯留浸透施設であって、
前記構造体は、請求項３乃至５のいずれかに記載されたものでなり、前記地下貯留空間に埋設されている、雨水等貯留浸透施設。
【発明の詳細な説明】
【技術分野】
【０００１】
本発明は、雨水等貯留浸透施設用構造部材、雨水等貯留浸透施設用構造体、及び、これらを用いた雨水等貯留浸透施設に関する。
【背景技術】
【０００２】
この種の雨水等貯留浸透施設は、地下に、集水した雨水等の貯留空間を有する雨水等貯留施設と、雨水等を一時的に地下の貯留空間へ貯留してのち、地中に緩やかに浸透させて排出する浸透施設とを含む。雨水等貯留浸透施設は、雨水等の有効利用の目的、雨水等が河川へ急激に流入することにより発生する都市型浸水災害を防止する目的、又は、地下水を涵養し地盤沈下を抑止する目的などで、地中に建設される。
【０００３】
上述した雨水等貯留浸透施設は、一般に、何らかの構造体を内蔵している。通常、この種の構造体は、複数個が立体的（３次元的）に積層配置されて地下貯留空間に埋設されている。従って、まず、この種の構造体に要求される第１の技術的課題としては、地下貯留空間において、周囲から加えられる土圧等の押圧力や、積み重ねられて生じる構造体相互の荷重に十分耐えうる機械的強度を備えている必要がある。
【０００４】
次に、雨水等貯留浸透施設には、家庭用の小規模貯留浸透施設から、公共用または工業用の大規模貯留浸透施設まで幅広い態様の需要が存在する。広い地下貯留空間を構築しようとする場合、構造体は相当数が必要となる。従って、この種の構造体に要求される第２の技術的課題としては、運搬作業、組立作業を容易に、且、迅速に実行しうることが要求される。
【０００５】
この種の構造体について、従来より種々のタイプのものが提案され、実用に供されている。例えば、特許文献１には、複数のＬ形パネルを組み合わせて全体として筒形状となる筒状組立体を構成し、この筒状組立体の両端面を、面板部材で遮蔽した構造体、及び、この構造体を有する雨水貯留／貯留浸透槽が開示されている。
【０００６】
しかし、特許文献１に記載されている従来技術では、この種の構造体に求められる技術的課題を充分に解決しているとはいえない。例えば、特許文献１において、Ｌ形パネルを筒状に組み合わせた場合、高さ方向で見た筒状組立体の両端面には、Ｌ形パネルの一辺を各辺とするマス目があらわれる。このマス目は、Ｌ形パネルの構造上、縮小することができないから、横方向から加えられる土圧等の押圧力や、積み重ね状態で生じる揺れ等に対する構造体の機械的強度（構造的一体性）に改善の余地が認められる。
【０００７】
また、特許文献１で用いられているようなＬ形パネルは、軽量化に構造上の限界があるとともに、嵩張る傾向にあるから、輸送効率、及び、組立効率の面で改善の余地が認められる。
【特許文献１】特許第３４００４３９号公報
【発明の開示】
【発明が解決しようとする課題】
【０００８】
本発明の課題は、優れた機械的強度を有する雨水等貯留浸透施設用構造部材、雨水等貯留浸透施設用構造体、及び、これらを用いた雨水等貯留浸透施設を提供することである。
【０００９】
本発明のもう１つの課題は、輸送効率、及び、組立効率を向上することができる雨水等貯留浸透施設用構造部材、雨水等貯留浸透施設用構造体、及び、これらを用いた雨水等貯留浸透施設を提供することである。
【課題を解決するための手段】
【００１０】
本発明に係る雨水等貯留浸透施設用構造部材は、第１の構造部材と、第２の構造部材との２類型に分けることができる構造的特徴を有している。以下、それぞれの作用効果に即して順次説明する。
【００１１】
１．雨水等貯留浸透施設用構造部材（第１の構造部材）について
本発明に係る第１の構造部材は、幅方向に相対向する二辺と、高さ方向に相対向する二辺とを有する平板状であって、雌型嵌合部と、雄型嵌合部とを有している。雌型嵌合部は、幅方向の中央部において、高さ方向に沿って伸びている。雄型嵌合部は、幅方向に相対向する二辺において、高さ方向に沿って伸びている。
【００１２】
上述したように、本発明に係る第１の構造部材は、幅方向に相対向する二辺と、高さ方向に相対向する二辺とを有する平板状であるから、一部材あたりの重量を軽量化することができる。従って、輸送効率、及び、組立効率を向上することができる。
【００１３】
また、第１の構造部材は平板状であるから、嵩張らない態様で施工現場まで輸送することができるとともに、施工現場での組立作業における取り扱いが容易になる。従って、輸送効率、及び、組立効率を向上することができる。
【００１４】
２．雨水等貯留浸透施設用構造体（構造体）について
本発明に係る雨水等貯留浸透施設用構造部材（第１の構造部材）は、複数が組み合わされて雨水等貯留浸透施設用構造体（構造体）を構成することができる。具体的に、前記複数の前記構造部材は、直角に交わる関係で隣接して配置され、一方の前記雄型嵌合部が、他方の前記雌型嵌合部に結合されており、さらに隣接する４つの前記構造部材の結合によって、前記構造部材の幅寸法の半分を各辺とするマス目が形成されている。
【００１５】
上述のように、本発明に係る構造体は、第１の構造部材を用いて構成されているから、第１の構造部材の利点を全て有することができる。
【００１６】
さらに、本発明に係る構造体では、隣接する４つの前記構造部材の結合によって、前記構造部材の幅寸法の半分を各辺とするマス目が形成されている。即ち、本発明に係る構造体は、前記構造部材の幅寸法の半分を各辺とするマス目を有することにより、組み合わせ密度が向上しているから、横方向から加えられる土圧等の押圧力や、積み重ね状態で生じる揺れ等に対する機械的強度（構造的一体性）が確保されている。
【００１７】
３．雨水等貯留浸透施設用構造部材（第２の構造部材）について
第１の構造部材を用いて構成された構造体では、隅部に非連結箇所が生じてしまい、全体としてみたときの機械的強度に改善の余地が認められる。従って、この非連結箇所を連結するために、第１の構造部材とは異なる構造の部材を用いて、構造体の機械的強度を確保する必要がある。
【００１８】
本発明に係る第２の構造部材は、幅方向に相対向する二辺と、高さ方向に相対向する二辺とを有する平板状であって、雌型嵌合部と、雄型嵌合部とを有している。雌型嵌合部は、幅方向に相対向する二辺のうちの一辺において、高さ方向に沿って伸びている。雄型嵌合部は、幅方向に相対向する二辺のうちの他辺において、高さ方向に沿って伸びている。
【００１９】
この構造によると、構造体の隅部に生じる非連結箇所を、第２の構造部材で連結することができる。従って、構造体の機械的強度（構造的一体性）を向上させることができる。
【００２０】
４．雨水等貯留浸透施設について
本発明に係る雨水等貯留浸透施設は、上述した雨水等貯留浸透施設用構造体と、地下貯留空間とを含む。構造体は、地下貯留空間に埋設されている。
【００２１】
上述のように、本発明に係る雨水等貯留浸透施設は、本発明に係る構造体を含むから、上述した構造体の利点を全て有することができる。
【００２２】
例えば、本発明に係る構造体は、優れた機械的強度（構造的一体性）を有しているから、地下貯留空間を長期間に渡って維持することができる。
【００２３】
また、本発明に係る構造体は、第１及び第２の構成部材の組合せにより構成されているから、優れた輸送効率、及び、組立効率を有することにより、施工コストを低減することができる。
【００２４】
本発明の他の目的、構成及び利点については、添付図面を参照し、更に詳しく説明する。添付図面は、単に、例示に過ぎない。
【発明の効果】
【００２５】
以上述べたように、本発明によれば、次のような効果を得ることができる。
（１）優れた機械的強度を有する雨水等貯留浸透施設用構造部材、雨水等貯留浸透施設用構造体、及び、これらを用いた雨水等貯留浸透施設を提供することができる。
（２）輸送効率、及び、組立効率を向上することができる雨水等貯留浸透施設用構造部材、雨水等貯留浸透施設用構造体、及び、これらを用いた雨水等貯留浸透施設を提供することができる。
【発明を実施するための最良の形態】
【００２６】
図１は本発明の一実施形態に係る雨水等貯留浸透施設用構造部材（第１の構造部材）の正面図、図２は図１に示した第１の構造部材の平面図、図３は図１に示した第１の構造部材の側面図である。また、図４は図１の４−４線に沿った断面図、図５は図１の５−５線に沿った断面図、図６は図１の６線に沿った断面図である。
【００２７】
図１乃至図６を参照すると、本発明の一実施形態に係る第１の構造部材は、幅方向Ｗにおいて相対向する二辺と、高さ方向Ｔにおいて相対向する二辺とを有する枠状体であって、好ましくは平板状（偏平状）に成型されている。
【００２８】
第１の構造部材は、好ましくは合成樹脂材料を用いた一体成型物である。用いられる合成樹脂材料としては、成形容易性、耐腐食性、軽量性、素材強度、素材コストなどの観点から、ポリエチレン（ＰＥ）、ポリプロピレン（ＰＰ）、塩化ビニル樹脂（ＰＶＣ）等が一般的である。
【００２９】
さらに、図１乃至図６に示した第１の構造部材の各構成部分について説明すると、第１の構造部材は、枠状部１１と、仕切り部１３と、雌型嵌合部１４と、雄型嵌合部１５と、通孔部１６とを有している。
【００３０】
枠状部１１は、幅方向Ｗにおいて相対向する二辺と、高さ方向Ｔにおいて相対向する二辺とによって略長方形形状に構成されており、枠状の中央部（枠面内）が一面から他面に向かって貫通する貫通構造となっている。
【００３１】
具体的に、枠状部１１は、リブ１０１と、内板１０２とによって構成されている。リブ１０１は、内板１０２より厚みが大きく、その厚みの中間部に内板１０２が設けられている。即ち、枠状部１１は、内板１０２の両端にリブ１０１が突設された断面Ｈ形状（図３参照）を有しており、この構成により機械的強度の確保、及び、軽量化が図られている。
【００３２】
また、枠状部１１は、高さ方向Ｔにおいて相対向する二辺のうちの下辺側において、内板１０２の面内に貫通孔１２を有している。第１の構造部材は、貫通孔１２を有することにより、軽量化が図られるとともに、雨水等貯留浸透施設に用いられた場合に、貯留された雨水等の流動性が確保され、貯留空間における貯水効率が向上する。
【００３３】
さらに、枠状部１１は、高さ方向Ｔの上端面に厚み方向Ｄに伸びる差込み片１１１を有し、下端面に厚み方向Ｄに伸びるスリット１１２を有している。スリット１１２は、差込み片１１１を挿入可能な構造を有している。この構造によると、複数の第１の構造部材を高さ方向Ｔに積み重ねる場合、差込み片１１１を、スリット１１２と嵌合させることにより、高さ方向Ｔに隣接する第１の構造部材を相互に結合することができる。
【００３４】
仕切り部１３は、枠状部１１の面内において、幅方向Ｗに沿って条状に伸びている。仕切り部１３は、枠状部１１と同じ基本的構成を有し、内板１０２の両端にリブ１０１が突設された断面Ｈ形状を有している。
【００３５】
雌型嵌合部１４は、枠状部１１の幅方向の中央部において、高さ方向Ｔに沿って条状に伸びている。即ち、第１の構造部材は、雌型嵌合部１４と、仕切り部１３によって、枠状部１１の貫通部分が格子状に４分割されている。
【００３６】
図１乃至図６に示す第１の構造部材において、雌型嵌合部１４は、仕切り部１３と同じ基本的構成を有し、内板１０２の両端にリブ１０１が突設された断面Ｈ形状を有している。
【００３７】
一方、雌型嵌合部１４は、その嵌合機能に応じて、仕切り部１３とは異なる構成も有している。即ち、雌型嵌合部１４は、高さ方向Ｔの両端が切り欠けられ、開放されている凹溝状であって、高さ方向Ｔでみた両端付近の面内の中央に、第１の貫通孔１４１を有し、且、高さ方向Ｔの両端付近において、互いに向かい合う凸片１４２を有している。なお、凸片１４２は、図１乃至図６に示す実施例とは異なり、高さ方向Ｔの沿って突出縁状に伸びていてもよい。
【００３８】
雄型嵌合部１５は、幅方向Ｗに相対向する二辺において、高さ方向Ｔに沿って伸びている。第１の構造部材において、雄型嵌合部１５は、幅方向Ｗにおいて相対向する枠状部１１の二辺そのものを構成することもできる。
【００３９】
雄型嵌合部１５は、雌型嵌合部１４に嵌合可能な構造を有する。具体的に、雄型嵌合部１５は、幅方向Ｗの両端に平坦な突出面１５０を有しており、この突出面１５０の中央に第２の貫通１５１を有する。第２の貫通１５１は、第１の貫通孔１４１と同一の高さ位置に開口している。第２の貫通１５１が開口された部分の内板１０２は、一面側に向かって部分的に湾曲されており、後に連結ピン（３）などの止め具を差し込むためのスペースが確保されていることが好ましい。
【００４０】
さらに雄型嵌合部１５は、凸縁１５２と、くびれ部１５３とを有している。凸縁１５２は、厚み方向Ｄでみた突出面１５０の両端縁において、一面及び他面に突出し、高さ方向Ｔに沿って伸びている。凸縁１５２は、雄型嵌合部１５を雌型嵌合部１４に嵌合した場合に、凸片１４２に対する掛止機構（ストッパー）として機能する。
【００４１】
くびれ部１５３は、幅方向Ｗで見た凸縁１５２の内側において、高さ方向Ｔに沿って伸びている。くびれ部１５３は、雄型嵌合部１５を雌型嵌合部１４に嵌合した場合に、凸縁１５２に沿って雄型嵌合部１５を安定してスライド移動させるとともに、両者の嵌合状態における密着性を高めるために備えられている。
【００４２】
通孔部１６は、枠状部１１の貫通部分が、雌型嵌合部１４と、仕切り部１３によって、格子状に４分割されて形成されているものである。通孔部１６は、部材の軽量化、及び、製造コストの低減を図るとともに、第１の構造部材が雨水等貯留浸透施設に用いられた場合に、貯留された雨水等の流動性を向上させる。
【００４３】
図１乃至図６を参照して説明したように、本発明の一実施形態に係る雨水等貯留浸透施設用構造部材（第１の構造部材）は、幅方向Ｗに相対向する二辺と、高さ方向Ｔに相対向する二辺とを有する平板状であるから、一部材あたりの重量を軽量化することができる。従って、輸送効率、及び、組立効率を向上することができる。
【００４４】
しかも、図１乃至図６に示した第１の構造部材は、枠状体であって、貫通孔１２、及び、通孔部１６などを有することにより、所謂、肉抜きされた貫通構造を有しているから、一部材あたりの重量の軽量化がより一層図られている。従って、輸送効率、及び、組立効率を向上することができる。
【００４５】
さらに、図１乃至図６に示した第１の構造部材は、枠状体であって、貫通孔１２、及び、通孔部１６などを有することにより、所謂、肉抜きされた貫通構造を有しているから、成型材料の使用量を低減することができる。従って、第１の構造部材は、製造コストの低減にも有効な構造を有しているといえる。
【００４６】
また、第１の構造部材は平板状であるから、複数枚を厚み方向Ｄに積み重ねることが可能であり、嵩張らない態様で施工現場まで輸送することができるとともに、施工現場における組立作業等の取り扱いが容易になる。従って、輸送効率、及び、組立効率を向上することができる。
【００４７】
図１乃至図６を参照して説明した雨水等貯留浸透施設用構造部材（第１の構造部材）は、複数を組み合わせることにより、雨水等貯留浸透施設に用いられる構造体を構成することができる。次に、複数の第１の構造部材を用いた構造体の構成例について、図７を参照して説明する。図７は、本発明の一実施形態に係る雨水等貯留浸透施設用構造体の斜視図である。図７において、図１乃至図６に示した構成部分と同一の構成部分には、同一の参照符号を付す。
【００４８】
図７に示した構造体は、図１乃至図６を参照して示した第１の構造部材１０を二つ一組として構成した最小単位の構造体を示している。図７に示した構造体では、一方の第１の構造部材１０が、他方の第１の構造部材１０に対して、直角に交わる関係で隣接して配置されており、一方の雄型嵌合部１５が、他方の雌型嵌合部１４に結合され、全体としてＴ字形状に組み合わされている。このように二つの第１の構造部材１０、１０をＴ字形状に結合する利点の１つは、最小単位の構造体が、安定して自立できる点にある。
【００４９】
具体的に、図７に示す構造体の嵌合方法について、一方の第１の構造部材１０を、他方の第１の構造部材１０に対して、例えば、高さ方向Ｔで見た上端側から差し込む。ここで、一方の雄型嵌合部１５は、凸縁１５２が、他方の雌型嵌合部１４の凸片１４２と、内板１０２との間隔ｇ（図２または図４参照）に差し込まれる。一方の第１の構造部材１０は、他方の雌型嵌合部１４の凸片１４２が、くびれ部１５３の内部をスライドすることにより、高さ方向Ｔでみた下端まで差込みされる。
【００５０】
図７に示す構造体において、一方の第１の構造部材１０と、他方の第１の構造部材１０とは、雌型嵌合部１４の凸片１４２が、くびれ部１５３の内部において凸縁１５２の内側面に接触可能に差込みされているから、凸片１４２が所謂ストッパーとして機能することにより、両者の嵌合状態が維持されている。
【００５１】
さらに、図７に示す構造体において、好ましくは、雌型嵌合部１４が第１の貫通孔１４１を有し、雄型嵌合部１５が第２の貫通１５１を有し、第１及び第２の貫通１４１、１５１が相互に連通する位置に設けられている構成によると、相互に連通する第１及び第２の貫通１４１、１５１に連結ピン３等の止め具を挿通することにより、結合に係る両者間の結合強度（構造的一体性）が向上する。端的にいうと、Ｔ字形状に組み合わされている第１の構造部材１０、１０は、連結ピン３によって、高さ方向へ揺動することが規制されている。
【００５２】
図７に示した構造体は、図１乃至図６を参照して説明した第１の構造部材１０により構成されているから、上述した第１の構造部材１０の利点を全て有することができる。例えば、第１の構造部材１０は、それぞれが軽量であって、取り扱いが容易な平板状（偏平状）に成型されているから、組立作業に大型の建設機械等を用いる必要が無い。従って、組立効率を向上することができる。
【００５３】
さらに、直角に交わる関係で隣接する第１の構造部材１０の組立ては、第１の構造部材１０の構成部位たる雌型嵌合部１４と、雄型嵌合部１５との組み合わせによって行われ、特殊な連結器具を用いる必要がないから組立効率を向上することができる。
【００５４】
特に、構造体は、図７を参照して説明した最小単位に係る組み合わせにおいて、直角に交わる関係で隣接する隣接する第１の構造部材１０がＴ字形状に結合されており、自立させることができるから、組立てに係る第１の構造部材１０の使用枚数が増加したとしても順次効率よく組立作業を行うことができる。
【００５５】
図８は、本発明のもう一つの実施形態に係る雨水等貯留浸透施設用構造体の平面図である。図８において、図１乃至図７に示した構成部分と同一の構成部分には、同一の参照符号を付す。図８に示した構造体は、図１乃至図６を参照して示した第１の構造部材１０を四つ一組として構成した構造体を示している。
【００５６】
図８に示した構造体の組み合わせ構造によると、直角に交わる関係で隣接する第１の構造部材１０、１０において、一方の雄型嵌合部１５が、他方の雌型嵌合部１４に順次結合され、全体として略井桁状に組み合わされたとき、高さ方向Ｔで見た構造体の両端面には、隣接する４つの構造部材１０の結合によって、第１の構造部材１０の幅寸法Ｗ１の半分を各辺とするマス目ｃが形成されている。
【００５７】
図８に示した構造体のマス目ｃは、従来技術（特許文献１）において、仮に、一辺が同じ幅寸法Ｗ１を有するＬ形パネルを筒状に組み合わせた場合に形成されるマス目とは異なり、１／２程度の面積に縮小されている。即ち、図８に示した構造体では、組み合わせ密度が向上していることにより、横方向から構造体に加えられる土圧等の押圧力や、積み重ね状態で構造体に生じる揺れ等に対する機械的強度（構造的一体性）が確保される。
【００５８】
通常、本発明に係る構造体は、配置される雨水等貯留浸透施設の地下貯留空間の規模など具体的な施工条件に応じて、第１の構造部材１０の使用枚数、及び、組み合わせ形状が決定される。次に、施工条件に応じた構造体の構成例について、図９を参照して説明する。図９は、本発明のさらにもう一つの実施形態に係る雨水等貯留浸透施設用構造体の平面図である。一点鎖線で示した領域ｓが、具体的設置に係る地下貯留空間の施工面形状を仮定したものである。図９において、図１乃至図８に示した構成部分と同一の構成部分には、同一の参照符号を付す。
【００５９】
図９に示した構造体は、施工面形状ｓに追従して、第１の構造部材１０の使用枚数を決定し、これらが連続して略卍字形状に組み合わされている。即ち、図９に示した構造体は、図８に示した構造体の組合せ態様（略井桁状）を基本的構成として有しつつ、施工面形状ｓの境界に沿って、さらに第１の構造部材１０（斜線面付け表記）を補充したものである。
【００６０】
図９に示した実施形態は、図８に示した組み合わせ態様を前提として、具体的な施工条件に応じた構造体の構成例を示しているから、図１乃至図８を参照して説明した利点を全て有することができる。例えば、直角に交わる関係で隣接する第１の構造部材１０の組立ては、第１の構造部材１０の構成部位たる雌型嵌合部１４と、雄型嵌合部１５との組み合わせによって容易に行うことができるから、第１の構造部材１０を必要枚数分だけ準備するとともに、これらを施工面形状ｓの形状に応じて組み合わせることにより、具体的な施工条件に追従して構造体の規模を容易に調節することができる。
【００６１】
一方、図９に示した構造体では、略井桁状（略卍字形状）の隅部等に、非連結箇所ａが生じてしまい、全体としてみたとき構造体の機械的強度に問題を生じかねない。従って、この非連結箇所ａを連結するために、第１の構造部材１０とは異なる構造の部材を用いて、構造体の機械的強度を確保する必要がある。そこで、非連結箇所ａを補完するための部材について、図１０及び図１１を参照して説明する。図１０は本発明のもう一つの実施形態に係る雨水等貯留浸透施設用構造部材（第２の構造部材）の斜視図、図１１は本発明のもう一つの実施形態に係る雨水等貯留浸透施設用構造体の平面図である。図１０及び図１１において、図１乃至図９に示した構成部分と同一の構成部分には、同一の参照符号を付す。  
【００６２】
まず、図１０に示す第２の構造部材は、主として図９に示した非連結箇所ａを連結するために用いられるものであって、幅寸法Ｗ２が、第１の構造部材１０の幅寸法Ｗ１の１／２程度に設定されている以外は、第１の構造部材１０と同一の基本的構成を有する。
【００６３】
以下、簡単に説明すると、第２の構造部材は、枠状部２１と、仕切り部２３と、雌型嵌合部２４と、雄型嵌合部２５と、通孔部２６とを有している。
【００６４】
枠状部２１は、幅方向Ｗにおいて相対向する二辺と、高さ方向Ｔにおいて相対向する二辺とによって略長方形形状に構成されており、枠状の中央部（枠内）が一面から他面に向かって貫通する貫通構造となっている。
【００６５】
枠状部２１は、内板２０２の両端にリブ２０１が突設された断面Ｈ形状を有しており、高さ方向Ｔにおいて相対向する二辺のうちの下辺側において、内板２０２の面内に貫通孔２２を有している。さらに、枠状部２１は、高さ方向Ｔの上端面に差込み片２１１を有し、下端面にスリット２１２を有している。スリット２１２は、差込み片２１１を挿入可能な構造を有している。
【００６６】
仕切り部２３は、幅方向の中央部において、幅方向Ｗに沿って条状に伸びている。第２の構造部材では、仕切り部２３によって、枠状部２１の貫通部分が高さ方向Ｔに２分割されて、２つの通孔部２６を構成している。
【００６７】
雌型嵌合部２４は、幅方向Ｗに相対向する二辺のうちの一辺において、高さ方向Ｔに沿って条状に伸びている。図９に示す雌型嵌合部２４は、内板２０２の両端にリブ２０１が突設された断面Ｈ形状を有する。雌型嵌合部２４は、高さ方向Ｔの両端が開放されている凹溝状であって、高さ方向Ｔの両端付近の面内の中央に第１の貫通孔２４１を有するとともに、且、高さ方向Ｔの両端付近に凸片２４２を有している。
【００６８】
図９に示す雌型嵌合部２４は、幅方向Ｗの両端に平坦な突出面２４０を有しており、この突出面２４０の中央に第３の貫通２４３を有する。第３の貫通２４３は、第１の貫通孔２４１と同一の高さ位置に開口している。第３の貫通２４３が開口された部分の内板２０２は、一面側に向かって部分的に湾曲されており、後に連結ピン（３）等の止め具を差し込むためのスペースを確保している。
【００６９】
雄型嵌合部２５は、幅方向Ｗに相対向する二辺のうちの他辺において、高さ方向Ｔに沿って伸びている。雄型嵌合部２５は、雌型嵌合部２４に嵌合可能な構造を有する。具体的に、雄型嵌合部２５は、幅方向Ｗの両端に平坦な突出面２５０を有しており、この突出面２５０の中央に第２の貫通２５１を有する。第２の貫通２５１は、第１及び第３の貫通孔２４１、２４３と同一の高さ位置に開口している。第２の貫通２５１が開口された部分の内板２０２は、一面側に向かって部分的に湾曲されており、後に連結ピン（３）等の止め具を差し込むためのスペースを確保している。
【００７０】
さらに雄型嵌合部２５は、凸縁２５２と、くびれ部２５３とを有している。凸縁２５２は、突出面１５０の両端縁において、一面及び他面に突出し、高さ方向Ｔに沿って伸びている。凸縁２５２は、雄型嵌合部２５を雌型嵌合部２４に嵌合した場合に、凸片２４２に対する掛止として機能する。
【００７１】
くびれ部２５３は、幅方向Ｗで見た凸縁２５２の内側において、高さ方向Ｔに沿って伸びている。くびれ部２５３は、雄型嵌合部２５を雌型嵌合部２４に嵌合した場合に、凸縁２５２に沿って雄型嵌合部２５を安定してスライド移動させるとともに、両者の嵌合状態における密着性を高めるために用いられる。
【００７２】
図１０に示した第２の構造部材は、第１の構造部材１０と同一の基本的構成を有するから、図１乃至図６を参照して説明した第１の構造部材の利点を全て有する。例えば、第２の構造部材は、平板状であるから、一部材あたりの重量を軽量化することができる。従って、輸送効率、及び、組立効率を向上することができる。
【００７３】
また、第２の構造部材は平板状であるから、嵩張らない態様で施工現場まで輸送することができるとともに、施工現場での組立作業における取り扱いが容易になる。従って、輸送効率、及び、組立効率を向上することができる。
【００７４】
次に、図１１を参照すると、図１１に示した構造体は、複数の第１の構造部材１０と、複数の第２の構造部材２０（斜線面付け表記）とを含む。第２の構造部材２０は、図１０を参照して説明したものでなり、図９に示した構造体の略井桁状（略卍字形状）の隅部等において、間隔を隔てて隣接する第１の構造部材１０の相互間（非連結箇所ａ）を連結している。端的にいうと、図１１に示した構造体は、図９に示した構造体の構成例において、構造体の隅部に生じる非連結箇所ａが第２の構造部材２０により連結されて、略田字形状となっていいる。
【００７５】
上述のように、図１１に示した構造体は、図９に示した構造体を含むから、図１乃至図９を参照して説明した利点を全て含むことができる。
【００７６】
さらに、図１１に示した構造体は、図９に示した構造体の構成例において、構造体の隅部に生じる非連結箇所ａが第２の構造部材２０により連結されて、略田字形状となっていいるから、構造体の機械的強度を確保することができる。
【００７７】
また、図１１に示した構造体は、図９に示した構造体の組み合わせ態様を基本として、必要な箇所に第２の構造部材２０を配置して、非連結箇所ａを補完することにより構築することができるから、組立て効率を向上することができる。
【００７８】
図１１に示した構造体においても、高さ方向Ｔで見た両端面には、第１の構造部材１０の幅寸法Ｗ１の半分、又は、第２の構造部材２０の幅寸法Ｗ２を各辺とする角形状のマス目ｃが多数形成されているから、組み合わせ密度が向上していることにより、充分な機械的強度（構造的一体性）が確保されている。
【００７９】
図１２は、本発明のもう一つの実施形態に係る雨水等貯留浸透施設用構造体の斜視図である。図１２において、図１乃至図１１に示した構成部分と同一の構成部分には、同一の参照符号を付す。
【００８０】
図１２に示した雨水等貯留浸透施設用構造体の実施形態は、図１１に示した構造体の寸法又は平面形状を調節する例を示している。即ち、第１の構造部材１０を幅方向Ｗに連結することで、図１１に示した平面視形状が正方形形状の配置態様以外にも、長方形形状の配置態様を実現することができる。
【００８１】
具体的に、図１２に示す構造体では、2つの第１の構造部材１０を幅方向Ｗに隣接して配置する。ここで、向かい合わされる雄型嵌合部１５には、第２の貫通１５１が設けられているから、同じ成型品を用いた場合、第２の貫通１５１が向かい合わせで一致する。ここで、連結ピン３等の止め具を第２の貫通１５１に連通させることにより、構造体の一体性が確保され、組立て効率が向上する。
【００８２】
図１２を参照して説明したように、隣接する２つの第１の構造部材１０をＴ字形状のみならず、幅方向Ｗに一列に連結可能となることで、図１１に示した正方形形状の配置態様以外にも、長方形形状や、さらには多角形形状の配置態様を実現するができる。
【００８３】
また、図７に示したような構造体（Ｔ字状構造体）を順次形成するのでなく、予め図１１に示した構造体を複数形成し、これらを第１の構造部材１０で連結するなど、組立作業手順それ自体のバリエーションを確保することができる。
【００８４】
なお、図１２に示した雨水等貯留浸透施設用構造体の実施形態は、第２の構造部材２０を用いても同様に実行することができる。
【００８５】
図１乃至図１２を参照して説明した第１及び第２の構造部材１０、２０、及び、これらを用いた構造体は、透水／遮水層や、流入／流出管等と組み合わされて、雨水等貯留浸透施設を構成する。次に、本発明に係る構造体を用いた雨水等貯留浸透施設について、以下、図１３乃至図１５を参照して説明する。
【００８６】
まず、図１３は本発明の一実施形態に係る雨水等貯留浸透施設の部分断面図、図１４は図１３に示した雨水等貯留浸透施設の一部を取り出して示す斜視図、図１５は図１４に示した構造体の一部を分解して示す正面図である。図１３乃至図１５において、図１乃至図１２に示した構成部分と同一の構成部分には、同一の参照符号を付す。
【００８７】
図１３乃至図１５を参照すると、本発明の一実施形態に係る雨水等貯留浸透施設は、雨水等貯留浸透施設用構造体１と、地下貯留空間４と、保護層５と、透水／遮水層６と、流入／流出管７とを含む。
【００８８】
構造体１は、図１乃至図１２を参照して説明した構造体であるから、図１乃至図１２の説明で述べた全ての利点が、上述した貯留浸透施設でも得られることは明らかである。図示する構造体１は、地下貯留空間（設置穴）４に埋設されている。４１はグランドラインを示す。
【００８９】
構造体１の上部には、好ましくは保護層５が設けられる。保護層５は、通常、土、砂利、コンクリート、または、アスファルト等を含み、主に地表面からの押圧力、または、衝撃から構造体１を保護する。
【００９０】
透水／遮水層６は、設置穴の内壁面と、構造体１の外周面との間に設けられる。具体的に、雨水等貯留浸透施設が浸透施設である場合には、透水層６が備えられる。通常、透水層６は、不織布等の周知の透水性素材を含み、施設内部に対する異物混入を防止すると共に、貯留された雨水等の排出部として機能する。これに対し、貯留浸透施設が貯留施設である場合、周知のビニールシートなどの遮水層６が備えられる。これは、雨水等の貯留を主目的としていることに起因する。
【００９１】
図示する貯留浸透施設は、流入／流出管７を含む。流入／流出管７は、一般に、別異の装置で集水した雨水等を、貯留浸透施設内に注入する機能、及び、必要に応じて貯留中の雨水等を施設外へ排出する機能を有する。
【００９２】
さらに、図１３乃至図１５に示した雨水等貯留浸透施設構造体１について、図１４及び図１５を参照して説明する。地下貯留空間４に埋設されている雨水等貯留浸透施設構造体１は、例えば図１１を参照して説明した略田字形状の構造体（構造体１ａ、１ｂ）が、高さ方向Ｔに複数段に積み重ねられている。構造体１ａ、１ｂのそれぞれは、図１乃至図１１で述べたように複数の第１及び第２の構造部材１０、２０が略田字形状に組み合わされており、優れた機械的強度を有するから、複数個を矢印Ｔで示す高さ方向Ｔに容易に積み重ねることができる。
【００９３】
さらに、図１４に示す構造体１ａ、１ｂは、好ましくは、側面の全周が複数の側板部材８によって覆われている。側板部材８それぞれは、第１の構造部材１０の枠面と略同一の平面形状で構成されており、その面内に複数の貫通孔８１を有している。側板部材８は、構造体１ａ、１ｂの内部への異物の混入を防止するとともに、土圧などの外的圧力から構造体１ａ、１ｂを保護し、もって構造体１の機械的強度を確保するために用いられる。
【００９４】
さらに、構造体１において、図１３乃至図１５に示す上段側の構造体１ａは、好ましくは、高さ方向Ｔの上端面が複数の面板部材９によって覆われている。図１４を参照すると、複数の面板部材９は、図１０に示した構造体１ａの上端面形状（正方形形状）に組み合わされた９枚の面板部材９により被覆されている。
【００９５】
ここで、図１３乃至図１５に示した雨水等貯留浸透施設構造体１に用いられている面板部材９について、図１６乃至図２０を参照して説明する。図１６は図１４及び図１５に示した面板部材の斜視図、図１７は同正面図、図１８は同平面図、図１９は同底面図、図２０は図１６に示した面板部材の組み合わせ状態を示す正面図である。図１６乃至図２０において、図１乃至図１５に示した構成部分と同一の構成部分には、同一の参照符号を付す。
【００９６】
図１６乃至図２０に示す面板部材９は、好ましくは、構造体１を構成する第１及び第２の構造部材１０、２０と同一の合成樹脂材料を用いた一体成型物である。用いられる合成樹脂材料としては、成形容易性、耐腐食性、軽量性、素材強度、素材コストなどの観点から、ポリエチレン（ＰＥ）、ポリプロピレン（ＰＰ）、塩化ビニル樹脂（ＰＶＣ）等が一般的である。
【００９７】
面板部材９は、少なくとも二組の対向辺組を有する平板状（偏平状）であって、好ましくは正方形形状に成型されている。
【００９８】
面板部材９において、それぞれの対向辺組において相対向する二辺は、互いに対応する凹部９１及び凸部９２を有している。即ち、隣接する二辺のほぼ中間部に凹部９１を設け、他の隣接する二辺の中間部に凸部９２を設けてある。凹部９１の両側には、凸部９２が設けられており、凸部９２の両側には凹部９１が設けられている。凹部９１及び凸部９２は、いわゆる「鳩尾継」を構成し得る形状を持つ。従って、複数の面板部材９を用いた場合に、隣接する面板部材９において、一方の凹部９１に、他方の凸部９２を嵌め込む凹凸嵌合により、全体として一体化され、平面化された配置構造を実現できる。
【００９９】
さらに、図１６乃至図２０に示した面板部材９の各構成部分について説明すると、面板部材９は、リブブロック９４と、貫通孔９７と、第１の嵌合溝部９５と、第２の嵌合溝部９６とを有している。
面板部材９は、一面に４つのリブブロック９４が立設されている。リブブロック９４のそれぞれは、平面視した形状が略正方形形状であって、複数のリブが格子状に組み合わされて構成されている。４つのリブブロック９４は、互いに間隔を隔てて配置されており、隣接するリブブロック９４の間に、格子状の第１の嵌合溝部９５が形成されている。
【０１００】
さらに、面板部材９は、複数のリブ１０１によって格子状に区切られた各面内に、一面から他面に貫通する貫通孔９７を有している。
【０１０１】
第２の嵌合溝部９６は、凸部９２に形成されている。即ち、凸部９２のそれぞれは、少なくも一面に突起９３を有しており、この突起９３と、リブブロック９４の側面によって、第２の嵌合溝部９６が形成されている。
【０１０２】
また、第１及び第２の嵌合溝部９５、９６は、底面に嵌合のためのスリット９８が設けられている。このスリット９８は、第１及び第２の構造部材１０、２０のスリット１１２と同じものであって、構造体１の上端面に面板部材９を敷設する場合に、スリット９８に、第１及び第２の構造部材１０、２０の差込み片１１１を嵌合させることにより、両者間の一体性が向上する。
【０１０３】
構造体１を構成する第１及び第２の構造部材１０、２０は、高さ方向Ｔにおいて相対向する二辺のうちの少なくとも一辺が、面板部材９の第１及び第２の嵌合溝部９５、９６に嵌合される。上述した結合構造によると、両者間の一体性が向上する。
【０１０４】
図１６乃至図２０を参照して説明した面板部材９によると、図１３乃至図１５に示した構造体１を構成するには、第１及び第２の構造部材１０、２０を用いて構造体１ａ、１ｂを構成し、その上端面に、面板部材９を天板として凹凸嵌合させるだけでよい。このため、組立作業が極めて容易になる。
【０１０５】
しかも、面板部材９において、相対向する二辺のうちの一辺は、凹部９１を有し、他辺は凹部９１と対応する凸部９２を有する。従って、隣接する面板部材９において、一方の凹部９１に、他方の凸部９２を嵌め込む凹凸嵌合により全体として一体化され、平面化された天面板配置構造を実現できる。このように、天面板となる面板部材９を、凹凸嵌合によって、構造体１ａ、１ｂの上端面に敷きつめて行くので、その組立作業が極めて容易になる。面板部材９は、構造体１ａ、１ｂとして要求される長さに応じて、必要な枚数だけ配置され、かつ、相互に凹凸嵌合により結合する。
【０１０６】
面板部材９の一面には、構造体１ａ、１ｂを構成する第１及び第２の構造部材１０、２０の上辺が、凹凸嵌合により結合される。凹凸嵌合は、面板部材９の一面上に設けられた第１及び第２の嵌合溝部９５、９６の間に、第１及び第２の構造部材１０、２０の上辺を挿入することによって実行される。このように、面板部材９と、構造体１ａ、１ｂとの結合も、凹凸嵌合によるので、その組立作業が極めて容易になる。
【０１０７】
更に、面板部材９は、扁平状である。従って、これらは、嵩張ることのない態様で輸送することができるから、輸送コストを低減することができる。また、軽量であるから、構造体１への組立作業を容易に実行することができる。
【０１０８】
図１３乃至図２０に示した雨水等貯留浸透施設に埋設されている構造体１は、本発明に係る第１及び第２の構造部材１０、２０、及び、これらを用いた構造体１ａ、１ｂを含むから、図１乃至図１２を参照して説明した全ての利点を有する。例えば、構造体１を構成する構造体１ａ、１ｂは、第１及び第２の構造部材１０、２０の組合せにより構成されているから、優れた輸送効率、及び、組立効率を有することにより、施工コストを低減することができる。
【０１０９】
また、構造体１を構成する構造体１ａ、１ｂは、優れた機械的強度（構造的一体性）を有しているから、地下貯留空間４を長期間に渡って維持することができる。
【０１１０】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【０１１１】
【図１】本発明の一実施形態に係る雨水等貯留浸透施設用構造部材（第１の構造部材）の正面図である。
【図２】図１に示した第１の構造部材の平面図である。
【図３】図１に示した第１の構造部材の側面図である。
【図４】図１の４−４線に沿った断面図である。
【図５】図１の５−５線に沿った断面図である。
【図６】図１の６−６線に沿った断面図である。
【図７】本発明の一実施形態に係る雨水等貯留浸透施設用構造体の斜視図である。
【図８】本発明のもう一つの実施形態に係る雨水等貯留浸透施設用構造体の平面図である。
【図９】本発明のさらにもう一つの実施形態に係る雨水等貯留浸透施設用構造体の平面図である。
【図１０】本発明のもう一つの実施形態に係る雨水等貯留浸透施設用構造部材の斜視図である。
【図１１】本発明のもう一つの実施形態に係る雨水等貯留浸透施設用構造体の平面図である。
【図１２】本発明のもう一つの実施形態に係る雨水等貯留浸透施設用構造体の斜視図である。
【図１３】本発明の一実施形態に係る雨水等貯留浸透施設の部分断面図である。
【図１４】図１３に示した雨水等貯留浸透施設の一部を取り出して示す斜視図である。
【図１５】図１４に示した構造体の一部を分解して示す正面図である。
【図１６】図１４及び図１５に示した面板部材の斜視図である。
【図１７】図１６に示した面板部材の正面図である。
【図１８】図１６に示した面板部材の平面図である。
【図１９】図１６に示した面板部材の底面図である。
【図２０】図１６に示した面板部材の組み合わせ状態を示す正面図である。
【符号の説明】
【０１１２】
１、１ａ、１ｂ  雨水等貯留浸透施設構造体
１０、２０      第１、第２の構造部材
１４、２４      雌型嵌合部
１５、２５      雄型嵌合部
３              止め具（連結ピン）
４              地下貯留空間（設置穴）
９              面板部材
９１            凹部
９２            凸部
ｃ              マス目
Ｗ              幅方向
Ｗ１、Ｗ２      幅寸法
Ｔ              高さ方向
【図１】
2008057282.tif 000003
【図２】
2008057282.tif 000004
【図３】
2008057282.tif 000005
【図４】
2008057282.tif 000006
【図５】
2008057282.tif 000007
【図６】
2008057282.tif 000008
【図７】
2008057282.tif 000009
【図８】
2008057282.tif 000010
【図９】
2008057282.tif 000011
【図１０】
2008057282.tif 000012
【図１１】
2008057282.tif 000013
【図１２】
2008057282.tif 000014
【図１３】
2008057282.tif 000015
【図１４】
2008057282.tif 000016
【図１５】
2008057282.tif 000017
【図１６】
2008057282.tif 000018
【図１７】
2008057282.tif 000019
【図１８】
2008057282.tif 000020
【図１９】
2008057282.tif 000021
【図２０】
2008057282.tif 000022
【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
雌型嵌合部と、雄型嵌合部と、幅方向に相対向する二辺と、高さ方向に相対向する二辺とを有する平板状の雨水等貯留浸透施設用構造部材であって、
前記雌型嵌合部は、幅方向の中央部において、高さ方向に沿って伸びており、
前記雄型嵌合部は、幅方向に相対向する二辺において、高さ方向に沿って伸びている、
雨水等貯留浸透施設用構造部材。
【請求項２】
雌型嵌合部と、雄型嵌合部と、幅方向に相対向する二辺と、高さ方向に相対向する二辺とを有する平板状の雨水等貯留浸透施設用構造部材であって、
前記雌型嵌合部は、幅方向に相対向する二辺のうちの一辺において、高さ方向に沿って伸びており、
前記雄型嵌合部は、幅方向に相対向する二辺のうちの他辺において、高さ方向に沿って伸びている、
雨水等貯留浸透施設用構造部材。
【請求項３】
複数の構造部材を組み合わせた雨水等貯留浸透施設用構造体であって、
前記複数の前記構造部材には、請求項１又は２のいずれかに記載されたものが含まれている、
雨水等貯留浸透施設用構造体。
【請求項４】
請求項３に記載された雨水等貯留浸透施設用構造体であって、少なくとも４つの第１の構造部材を含み、
前記第１の構造部材のそれぞれは、請求項１に記載されたものでなり、
前記４つの前記第１の構造部材は、前記雄型嵌合部と、前記雌型嵌合部との組み合わせにより互いに結合され、前記第１の構造部材の幅寸法の半分を一辺とするマス目が形成されている、
雨水等貯留浸透施設用構造体。
【請求項５】
請求項３に記載された雨水等貯留浸透施設用構造体であって、第１の構造部材と、第２の構造部材とを含み、
前記第１の構造部材は、請求項１に記載されたものでなり、
前記第２の構造部材は、請求項２に記載されたものでなり、前記第１の構造部材の半分の幅寸法を有しており、
前記第１の構造部材と、前記第２の構造部材とは、前記雄型嵌合部と、前記雌型嵌合部との組み合わせにより互いに結合され、第１の構造部材の幅寸法の半分、及び、第２の構造部材の幅寸法を一辺とするマス目が形成されている、雨水等貯留浸透施設用構造体。
【請求項６】
請求項３乃至５のいずれかに記載された構造体であって、さらに止め具を含み、
前記止め具は、前記雄型嵌合部と前記雌型嵌合部との結合箇所において、前記直角に交わる関係で隣接する前記構造部材が、高さ方向（上下方向）へ揺動することを規制している、
雨水等貯留浸透施設用構造体。
【請求項７】
請求項３乃至６のいずれかに記載された構造体であって、さらに面板部材を含み、
前記面板部材は、少なくとも二組の対向辺組を有し、前記対向辺組において相対向する二辺は、互いに対応する凹部及び凸部を有しており、
前記凸部のそれぞれは、少なくも一面に突起部分を有しており、
前記構造部材は、前記高さ方向に相対向する二辺のうちの少なくとも一辺が、前記突起部分により結合されている、
雨水等貯留浸透施設用構造体。
【請求項８】
雨水等貯留浸透施設用構造体と、地下貯留空間とを含む雨水等貯留浸透施設であって、
前記構造体は、請求項３乃至７のいずれかに記載されたものでなり、前記地下貯留空間に埋設されている、
雨水等貯留浸透施設。